(57)【要約】      （修正有）【課題】非力な高齢者や主婦でも容易にマルチシートに孔を開け且つ耕土に穴を掘ることができるスコップを提供する。【解決手段】剣先スコップ１０は、把手１１とスコップ本体１３とからなる。スコップ本体は金属板を丸めてなり、突き当て部３３は接合されていない。スコップ本体を耕土３６へ突き刺すと、円筒状のスコップ本体に一定量の耕土３６Ｂが収納される。剣先スコップを上げることで、マルチシート３５に孔３９が開き、耕土に穴３８を掘ることができる。【選択図】図４
0003216798.tif 000002
【実用新案登録請求の範囲】
【請求項１】
利用者が握る把手と、この把手の先に取付けられ先端が尖っているスコップ本体とを有している剣先スコップにおいて、
前記スコップ本体は、金属板を円筒状に丸め、前記金属板の一端に他端を突き合わせてなり、前記一端と前記他端とが接合されていないことを特徴とする剣先スコップ。
【請求項２】
請求項１記載の剣先スコップにおいて、
前記把手の一端に、マルチシートに突き刺す針が取付けられており、この針が前記スコップ本体内へ延びていることを特徴とする剣先スコップ。
【請求項３】
請求項２記載の剣先スコップにおいて、
前記針は、前記スコップ本体の中心上又は中心近傍に配置されていることを特徴とする剣先スコップ。
【請求項４】
請求項１記載の剣先スコップにおいて、
円筒状の前記スコップ本体に帯状のクロスメンバーを渡し、このクロスメンバーの両端を各々前記スコップ本体に溶接し、このようなクロスメンバーに前記把手が取付けられていることを特徴とする剣先スコップ。
【考案の詳細な説明】
【技術分野】
【０００１】
本考案は、マルチ（ｍｕｌｃｈ）園芸に適した剣先スコップに関する。
【背景技術】
【０００２】
農業分野では、マルチ農法が知られている。マルチ（ｍｕｌｃｈ）は、古くは耕土を藁で覆って耕土の保温、保水を図り、作物の育成を促進する農法である。近年は耕土を藁の代わりに黒色の樹脂フィルムで覆うことが、一般的に行われている。このような樹脂フィルムを以下、マルチシートという。
【０００３】
さらには、別の場所で育成させた苗を、マルチシート下の耕土に移植する場合、マルチシートに孔を開け、この孔の下の耕土に穴を掘り、この穴に苗を置き、土を被せるという手順が採用される。なお、本書では「孔」は貫通したあな、「穴」は底がある未貫通あなと定義した。
【０００４】
マルチシートは、薄いフィルムであるが、風雨に耐える一定の強度を有する。そのため、孔開けには適当な手工具が用いられる。そのための手工具が各種提案されてきた（例えば、特許文献１（図１）参照）。
【０００５】
特許文献１には、利用者が両手で握る水平バー状の把手と、この把手の中央から下へ長く延びる中空の柄部と、この柄部の下端に取付けられ下縁に刃を備えている有底筒体と、この有底筒体に収納された排土板と、この排土板の中央から上へ延びて中空の柄部を貫通すると共に把手を貫通して把手の上方まで延びている操作棒とからなるマルチ栽培用孔穿け兼穴堀器が開示されている
【０００６】
使用者は、把手を握りつつ、有底筒体をマルチシートに押しつける。すると、マルチシートが切断され、マルチシートに孔が開く。さらに有底筒体を押し下げると、耕土が有底筒体に進入する。排土板は耕土で押し上げられる。
【０００７】
利用者は、把手を握りつつ、有底筒体を耕土から引き上げる。すると、耕土に穴が開き、マルチシートに孔が開く。このときに、有底筒体内に耕土が詰まっている。
使用者は、他の場所に有底筒体を移し、操作棒を押し下げる。すると、排土板が下がり、有底筒体内の耕土が排出される。
【０００８】
しかし、特許文献１に示されるマルチ栽培用孔穿け兼穴堀器は、大型で構造が複雑であるため、高価である。
加えて、家庭菜園の利用者の多くは、納屋などの農機具置き場を有していないため、大型のマルチ栽培用孔穿け兼穴堀器の保管が大きな負担となる。
さらに、加えて、マルチ栽培用孔穿け兼穴堀器の用途はマルチシートの孔開けと耕土の穴堀りに限定されており、使用頻度がごく限られている。
【０００９】
そこで、保管の負担が軽減できるような小型の手工具が提案されてきた（例えば、特許文献２（図１）参照）。
特許文献２には、下縁に刃を有する２個の半割筒体と、これらの半割筒体の高さ方向中央同士を繋ぐ枢結軸と、２個の半割筒体の上部同士を繋ぐ操作部とからなる穴堀り器が開示されている。
【００１０】
操作部は利用者が握りながら操作する部材であり、一方の半割筒体に固定された外筒と、この外筒に軸方向移動可能に収納され且つ他方の半割筒体に固定される内筒と、外筒に収納され内筒を押し出す発条（ばね）とからなる。
【００１１】
特許文献２の穴堀り器は、全体的に鋏と同じ構造となっており、利用者が外筒を握りながら親指で内筒を押すと、半割筒体の下部が開き、親指を離すと発条（ばね）の作用で半割筒体の下部が閉じる。
【００１２】
利用者は、半割筒体の下部が開いた状態で、穴堀り器をマルチシート及び耕土に突き刺す。次に、半割筒体の下部が閉じた状態にして、穴堀り器を引き上げる。これで、マルチシートに孔が開き、耕土に穴が開く。別の場所で、半割筒体の下部を開くことで、穴掘り器から耕土を排出する。
【００１３】
特許文献２の穴掘り具は、特許文献１のマルチ栽培用孔穿け兼穴堀器より格段に小型であり、安価であり、保管場所の問題も解消できる。
しかし、用途はマルチシートの孔開けと耕土の穴堀りに限定されており、使用頻度がごく限られている点は、解消されない。
【００１４】
また、穴掘り具を耕土から引き上げるときに、半割筒体の下部が閉じたままにする必要がある。そうしないと、耕土が穴に落下して、折角開けた穴が埋まってしまうからである。そのためには、耕土の落下を防止できる程度に、発条（ばね）を強くする必要がある。
発条（ばね）が強いと、非力な高齢者や若年者には取り扱いが難しくなる。家庭菜園の主力である主婦にとっても、使用が困難である。
【００１５】
家庭菜園が普及している中、非力な高齢者や主婦でも容易に扱え、且つ用途が孔開け及び穴堀りに限定されないような手工具が望まれる。
【先行技術文献】
【特許文献】
【００１６】
【特許文献１】特開平８−２８９６７２号公報
【特許文献２】実用新案登録第３１０７２７８号公報
【考案の概要】
【考案が解決しようとする課題】
【００１７】
本考案は、非力な高齢者や主婦でも容易に扱え、且つ用途が孔開け及び穴掘りに限定されないようなスコップを提供することを課題とする。
【課題を解決するための手段】
【００１８】
請求項１に係る考案は、利用者が握る把手と、この把手の先に取付けられ先端が尖っているスコップ本体とを有している剣先スコップにおいて、
前記スコップ本体は、金属板を円筒状に丸め、前記金属板の一端に他端を突き合わせてなり、前記一端と前記他端とが接合されていないことを特徴とする。
【００１９】
請求項２に係る考案は、請求項１記載の剣先スコップにおいて、
前記把手の一端に、マルチシートに突き刺す針が取付けられており、この針が前記スコップ本体内へ延びていることを特徴とする。
【００２０】
請求項３に係る考案は、請求項２記載の剣先スコップにおいて、
前記針は、前記スコップ本体の中心上又は中心近傍に配置されていることを特徴とする。
【００２１】
請求項４に係る考案は、請求項１記載の剣先スコップにおいて、
円筒状の前記スコップ本体に帯状のクロスメンバーを渡し、このクロスメンバーの両端を各々前記スコップ本体に溶接し、このようなクロスメンバーに前記把手が取付けられていることを特徴とする。
【考案の効果】
【００２２】
請求項１〜４に係る考案では、円筒状のスコップ本体を耕土に突き刺すことで、マルチシートに孔を開け、耕土に穴を掘りことができる。
加えて、スコップは剣先であるため、雑草を掬い上げたり、苗を載せるなど、孔開け及び穴掘り以外の用途にも供することができる。
【００２３】
さらに、請求項１に係る考案では、剣先スコップは、把手と、この把手の先に取付けられたスコップ本体とからなり、片手で扱えるため、十分に小型で軽量である。小型軽量であるため、安価であって且つ保管の問題は起こりにくい。
その上、スコップ本体は、金属板を円筒状に丸め、金属板の一端に他端を突き合わせたものであり、格別の開閉操作を要しないため、非力な利用者であっても使用可能となる。
【００２４】
マルチシートで覆われている耕土は、十分に湿っている。
円筒状のスコップ本体に収納された耕土は、粘着性により、スコップ本体内に留まることが期待される。
【００２５】
ただし、耕土が乾き気味で、粘着性が低下することがある。
本考案の円筒状のスコップ本体は、一端と他端とが接合されていない。スコップ本体を耕土に突き刺すときに、耕土の圧力により、円筒状のスコップ本体が縮径される場合と拡径される場合が想定される。縮径されるときは、一端に他端が当たってそれ以上の縮径は進行しない。一方、拡径されるときには、一端から他端が離れる。離れると他端が一端に向かおうとするスプリングバックが起こる。このスプリングバックにより耕土がスコップ本体で締め付けられる。
【００２６】
仮に、耕土が乾き気味であっても、スプリングバックにより、スコップ本体で耕土を引き上げることができる。
一端に他端が接合されていないため、排土場所にて、スコップ本体を適当な物体に当てることにより、一端から他端が離れ、耕土を排出することができる。
以上に述べたように、請求項１によれば、非力な高齢者や主婦でも容易に扱え、且つ用途が孔開け及び穴掘りに限定されないようなスコップが提供される。
【００２７】
請求項２に係る考案では、把手の一端に、マルチシートに突き刺す針が取付けられているため、排土の際に、マルチシート片を針に残すことができ、マルチシート片と耕土とを分離することができる。
【００２８】
請求項３に係る考案では、針は、スコップ本体の中心上又は中心近傍に配置されているため、針を確実にマルチシートに刺すことができる。
【００２９】
請求項４に係る考案では、円筒状のスコップ本体に帯状のクロスメンバーを渡し、このクロスメンバーの両端を各々スコップ本体に溶接し、このようなクロスメンバーに把手が取付けられている。
クロスメンバーは両端支持されているため、把手に比較的大きな力を加えることができる。すなわち、繰り返し使用しても、スコップ本体に対して把手が傾く心配が無く、本考案のスコップを長く使用することができる。
【図面の簡単な説明】
【００３０】
【図１】本考案に係る剣先スコップの斜視図である。
【図２】（ａ）は剣先スコップの平面図、（ｂ）は同右側面図、（ｃ）は同底面図、（ｄ）は（ｂ）のｄ部拡大図である。
【図３】（ａ）は剣先スコップの正面図、（ｂ）は（ａ）のｂ部拡大図、（ｃ）は剣先スコップの背面図である。
【図４】孔開け及び穴堀り工程を説明する図である。
【図５】排土工程を説明する図である。
【図６】本考案に係る剣先スコップの別の用途を説明する図である。
【図７】本考案に係る剣先スコップの変更例を説明する図である。
【図８】本考案に係る剣先スコップの更なる変更例を説明する図である。
【考案を実施するための形態】
【００３１】
本考案の実施の形態を添付図に基づいて以下に説明する。なお、図面は符号の向きに見るものとする。
【実施例】
【００３２】
図１に示すように、剣先スコップ１０は、利用者が握る把手１１と、この把手１１の先に取付けられ先端に尖り先部１２を有するスコップ本体１３とを主要素とする手工具である。
スコップ本体１３は、金属板を円筒状に丸めてなり、円筒がはす（斜め）に切断されることで、先端が尖り先部１２となっている。金属板は、炭素鋼板、ステンレス鋼板、アルミニウム板、チタン板等が適当であるが、材質は任意である。
【００３３】
スコップ本体１３は、円筒状に丸めた金属板をはすに切断する他、金属板から変形五角形の板を切り出し、この切り出した板を丸めてもよい。よって、スコップ本体１３の製造方法は格別に限定されるものではない。
【００３４】
スコップ本体１３の把手１１側端に、コ字状の切欠き部１４が形成され、この切欠き部１４に矩形断面のクロスメンバー１５が嵌められている。
【００３５】
図３（ａ）、（ｃ）に示すように、クロスメンバー１５は円筒の中心１６（略中心を含む。）を横断する帯板（帯状の金属板）である。
図２（ａ）〜（ｃ）に示すように、このようなクロスメンバー１５に金属棒状の針１７が取付けられ、この針１７に木製棒状の把手１１が固定されている。
針１７は先端が尖っており、先端部に小径部１８を有している。
【００３６】
図２（ａ）に示すように、スコップ本体１３は、先端に尖り先部１２を有する。
また、図２（ｂ）に示すように、スコップ本体１３は、はす（斜め）に切断された斜辺部２１を有する。
木製棒状の把手１１は、針１７を介して、クロスメンバー１５に固定する他、針１７とは異なる金具を介してクロスメンバー１５に固定することは差し支えない。
よって、スコップ本体１３に把手１１と取付ける取付構造は適宜変更することができる。
【００３７】
図２（ｄ）は図２（ｂ）のｄ部拡大図であり、図２（ｄ）に示すように、先端面２２と外周面２３とが交差する部分を、カットして斜面２４とし、スコップ本体１３の先端に刃部２５を形成する。この刃部２５があることにより、マルチシート（図４、符号３５）を切断し、その下の耕土（図４、符号３６）に突き刺すことが容易になる。
なお、刃部２５は、先端面２２と内周面２６とが交差する部分をカットして形成してもよい。
【００３８】
背面図である図３（ｃ）に示すように、円筒状のスコップ本体１３の中心１６を通るクロスメンバー１５は、スコップ本体１３にビード２７により溶接固定されている。帯状のクロスメンバー１５は両端が各々スコップ本体１３に固定されている。片持ち梁に比較して両端支持梁は曲げに強い。本例のクロスメンバー１５は両端支持梁であるため、把手１１に大きな力が加えられても、剛性が確保される。結果、スコップ本体１３に対して、把手１１が不都合に傾く心配が無く、長い期間剣先スコップ１０を使い続けることができる。
【００３９】
正面図である図３（ａ）に示すように、針１７は円筒状のスコップ本体１３の中心１６に配置されている。
図３（ｂ）に示すように、丸められた金属板の一端３１に他端３２が突き合わされて突き当て部３３とされ、この突き当て部３３では、一端３１に他端３２が接合されていないことを構造上の特徴とする。
【００４０】
突き当て部３３における一端３１と他端３２との間のギャップ（隙間）はゼロを原則とするが、数ｍｍ程度は開いていても差し支えない。それ以上は、マルチシートに切断洩れが生じるため、好ましくない。
【００４１】
以上に説明した剣先スコップ１０の作用を次に説明する。
図４（ａ）に示すように、マルチシート３５が敷かれている耕土３６の上方に、尖り先部１２が下になるようにして、剣先スコップ１０を臨ませる。そして、剣先スコップ１０を下げる。
【００４２】
図４（ｂ）に示すように、円筒状であって先端に刃部２５を有するスコップ本体１３により、マルチシート３５が切り破られ、一定量の耕土３６Ｂ（周囲の耕土３６と区別するために、便宜的にＢを添える。以下同じ）がスコップ本体１３に収納される。この際、針１７がシート片３７を貫通する。
このときに、図４（ｂ）のｃ−ｃ線断面図である図４（ｃ）に示すように、スコップ本体１３の外周面２３へ耕土３６の圧力が加わり、内周面２６へ耕土３６Ｂの圧力が加わる。
【００４３】
耕土の圧力により、円筒状のスコップ本体１３が縮径される場合と拡径される場合が想定される。
縮径されるときは、一端３１に他端３２が当たってそれ以上の縮径は進行しない。
一方、拡径されるときには、一端３１から他端３２がδ１だけ離れる。離れると一端３１と他端３２とが互いに向かおうとするスプリングバックが起こる。
【００４４】
図４（ｄ）に示すように、剣先スコップ１０を引き上げると、一定量の耕土３６Ｂとシート片３７とが持ち上げられる。これで、耕土３６に穴３８が掘られ、マルチシート３５に孔３９が開けられた。後工程で、穴３８に土着き苗（図６、符号４５）が移植される。
剣先スコップ１０を上げる際に、スプリングバッグによりスコップ本体１３の突き当て部３３におけるギャップ（隙間）は、δ１より小さなδ２になっているため、耕土３６Ｂはスコップ本端１３で締め付けられ、スコップ本体１３から脱落する心配はない。
【００４５】
マルチシート３５は耕土３６中の水分が蒸発することを抑制する。そのために、耕土３６Ｂは十分に湿っている。湿っていると粘着性が高まる。
仮に、図４（ｃ）において、δ１が０（ゼロ）であっても、粘着性により、図４（ｄ）における耕土３６Ｂの脱落は起こらない。起こっても少量である。
【００４６】
図５（ａ）に示すように、剣先スコップ１０を土置き場４１まで移動する。スコップ本体１３を適当な物体４２（例えば木材ブロック）に打ち付ける。すると、衝撃で耕土３６Ｂが落下する。このときに、δ２が増減するようにして、スコップ本体１３が振動するため、スコップ本体１３の内周面から耕土３６Ｂが剥離しやすくなり、耕土３６Ｂの排出が円滑になる。適当な物体４２は、コンクリートブロックや岩石でもよいが、スコップ本体１３の傷みを考慮すると、より軟らかい木材ブロックや古ゴムタイヤが適当である。
【００４７】
図５（ｂ）に示すように、耕土３６が落下したため、突き当て部３３でのギャップが０（ゼロ）になり、図４（ａ）の形態に戻る。また、シート片３７は針１７に掛かった形態で、剣先スコップ１０側に残っている。シート片３７がずり落ちた場合には、小径部１８に引っ掛かって止まる。
【００４８】
ところで、仮に、シート片３７が耕土３６と一緒に落下すると、耕土３６Ｂに埋まったシート片３７の回収が面倒である。人手で回収しようとすると一定の確率で回収し損なう。耕土３６Ｂを篩（ふるい）にかけて、両者を分離すると、手間が増える。
この点、針１７を備えたことにより、耕土３６Ｂとシート片３７が分離できるため、手間が省ける。
【００４９】
次に、剣先スコップ１０の別の用途例を、図６に基づいて説明する。
図６（ａ）に示すように、本考案の剣先スコップ１０は、尖り先部１２及び斜辺部２１を有しているため、例えば雑草４３の掘り起こしに供することができる。
または、図６（ｂ）に示すように、土４４が付いている土付き苗４５を、載せて運ぶ移植コテとして利用することができる。
よって、本考案の剣先スコップ１０は、マルチ園芸においてマルチシートに孔を開け、耕土に穴を掘ることの他、普通の園芸シャベルのような使い方もできる。
【００５０】
次に、本考案に係る変更例を説明する。
右側面図である図７（ａ）及び背面図である図７（ｂ）に示すように、クロスメンバー１５をスコップ本体１３の後端に当てて、ビード２７で止めてもよい。コ字状の切欠き部（図１、符号１４）が不要であるため、剣先スコップ１０の製造コストの低減が図れる。ただし、クロスメンバー１５の全部が露出するため、外観性が若干低下する。
【００５１】
または、右側面図である図７（ｃ）及び背面図である図７（ｄ）に示すように、クロスメンバー１５をスコップ本体１３の後端に内蔵して、ビード２７で止めてもよい。溶接がやや面倒であるが、外観性は良好となる。
よって、スコップ本体１３へのクロスメンバー１５の固定方法は、適宜変更することができる。
【００５２】
さらには、図８に示すように、スコップ本体１３に、突き当て部３３に向かって尖ったＶ字ブラケット４６を取付け、このＶ字ブラケット４６に把手１１を取付けてもよい。Ｖ字ブラケット４６は、Ｕ字ブラケットや半円板でもよい。
Ｖ字ブラケット４６の一端から突き当て部３３を通ってＶ字ブラケット４６の他端までの周長Ｌが大きくなるため、突き当て部３３の隙間が開きやすくなる。内圧が小さくても突き当て部３３を広げることができ、スプリングバック作用をより積極的に利用することができる。
また、Ｖ字ブラケット４６を小型にすることにより、把手１１を円筒の中心とは異なる位置に設けることができる。
よって、スコップ本体１３に対し把手１１は任意の位置に設けることができる。
【００５３】
尚、請求項１においては、針１７は必須ではない。また、請求項２においては、針１７は必須であるが、その取付け位置は円筒の中心に限定されるものでははい。
【００５４】
また、本考案の剣先スコップ１０は、家庭菜園に好適であるが、大規模な園芸場、農場で使用することは差し支えない。
【産業上の利用可能性】
【００５５】
本考案の剣先スコップは、家庭菜園に好適である。
【符号の説明】
【００５６】
１０…剣先スコップ、１１…把手、１２…尖り先部、１３…スコップ本体、１５…クロスメンバー、１６…中心（スコップ本体の中心）、１７…針、２１…斜辺部、２５…刃部、２７…ビード、３１…一端、３２…他端、３３…突き当て部、３５…マルチシート、３６…耕土、３６Ｂ…一定量の耕土、３７…シート片、３８…穴、３９…孔、４２…適当な物体。
【図１】
0003216798.tif 000003
【図２】
0003216798.tif 000004
【図３】
0003216798.tif 000005
【図４】
0003216798.tif 000006
【図５】
0003216798.tif 000007
【図６】
0003216798.tif 000008
【図７】
0003216798.tif 000009
【図８】
0003216798.tif 000010